(57)【要約】  車両ルーフ（１０）は、カバー部材（１２）によって、閉鎖、又は、少なくとも部分的に開放されるルーフ開口部（１４）を有している。カバー部材（１２）の後端部は、固定ルーフ部（１６）に対して傾動可能であり、カバー部材（１２）は、誘導用ガイドレール部（２０）に設けられた前方スライド装置（２２）と、後方ガイドレール部（２４）に設けられた後方スライド装置（２６）とによって、各々、車両の長手方向の中心面の両側を誘導され、固定ルーフ部（１６）の上方を車両の後に向かって移動可能である。本発明にかかる後方スライド装置（２６）は、カバー部材（１２）のガイドリンク（３２）に沿って誘導され、車両の垂直方向に投影されたとき、後方ガイドレール部（２４）の接線と、カバー部材（１２）のガイドリンク（３２）の接線とは、少なくとも部分的に、車両の長手方向の軸に対して反対側に位置している。カバー部材（１２）が開き位置にあるとき、後方ガイドレール部（２４）とカバー部材に固定されたガイドリンク（３２）とは、この投影下において交差する。【選択図】図４
2011524295.tif 000002
【特許請求の範囲】
【請求項１】
ルーフ開口部と、
前記ルーフ開口部を、閉鎖するか少なくとも部分的に開放するカバー部材と、を備えた車両ルーフであって、
前記カバー部材は、
その後側の縁において、固定ルーフ部に対して傾動可能であり、
前記固定ルーフ部の上方を車両の後方へ向かって移動可能であり、
誘導用のガイドレール部に設けられた前方スライド装置と、後方ガイドレール部に設けられた後方スライド装置とのそれぞれにより、車両の長手方向における中心面に対する両側方において誘導されており、
前記後方スライド装置は、前記カバー部材のガイドリンクに沿って誘導され、
車両の垂直方向に投影されたとき、前記後方ガイドレール部の接線と、前記カバー部材のガイドリンクの接線とは、少なくとも一部において、車両の長手方向における軸に対して逆向きに配置されており、
投影下において前記カバー部材が開き位置にあるとき、前記後方ガイドレール部と前記カバー部材に固定された前記ガイドリンクとが交差することを特徴とする車両ルーフ。
【請求項２】
請求項１に記載の車両ルーフにおいて、
車両の垂直方向に投影されたとき、前記カバー部材のガイドリンクと、前記後方ガイドレール部とは、それぞれ、湾曲した軌道の外形を有していることを特徴とする車両ルーフ。
【請求項３】
請求項１又は２に記載の車両ルーフにおいて、
前記後方ガイドレール部は、対応するルーフの側方の輪郭と平行に延びていることを特徴とする車両ルーフ。
【請求項４】
請求項１〜３のいずれか一項に記載の車両ルーフにおいて、
前記後方スライド装置用の前記後方ガイドレール部は、前記前方スライド装置用の前記前方ガイドレール部よりも、短く設定されていることを特徴とする車両ルーフ。
【請求項５】
請求項１〜４のいずれか一項に記載の車両ルーフにおいて、
前記前方スライド装置は第１ドライブレバーに接続され、前記後方スライド装置は後方ドライブレバーに接続されていることを特徴とする車両ルーフ。
【請求項６】
請求項５に記載の車両ルーフにおいて、
前記後方スライド装置の後方ドライブレバーは、前記カバー部材の前記ガイドリンクに沿って誘導されることを特徴とする車両ルーフ。
【請求項７】
請求項１〜５のいずれか一項に記載の車両ルーフにおいて、
前記前方スライド装置と、前記後方スライド装置とは、個別のドライブケーブルに接続されていることを特徴とする車両ルーフ。
【請求項８】
請求項６に記載の車両ルーフにおいて、
前記後方スライド装置の移動速度は、前記前方スライド装置よりも遅いことを特徴とする車両ルーフ。
【発明の詳細な説明】
【技術分野】
【０００１】
本発明は、車両ルーフに関する。
【背景技術】
【０００２】
特許文献１には、ルーフ開口部を閉鎖、又は、少なくとも部分的に開放するカバー部材を備えた車両ルーフが公開されている。このカバー部材は、いわゆる外側へ移動するスライドルーフのカバーとして実用化されている。カバー部材は、その後端部において、後方側の固定ルーフ部に対して傾動可能であり、また、固定ルーフ部の上方を後へ向かって移動可能である。車両の長手方向に移動するために、前方ガイドレール部に設けられた車両前方スライド装置と、後方ガイドレール部に設けられた車両後方スライド装置とにより、車両の長手方向における中心面に対し、カバー部材はその両側部で誘導される。これら後方ガイドレール部の外形は、車両外殻に設けられた、対応するスリットを通じて見ることができる。これら後方ガイドレール部は、各々、車両ルーフの側方の輪郭と平行に延びている。カバー部材用の誘導装置の車幅方向における幅を合わせるために、制御装置が設けられている。この制御装置は、レバーを備え、後方スライド装置の移動中に回転する。このような制御装置は、余分な全体的スペースだけでなく、余分な重量を占めてしまう。また、この制御装置の使用は、余分なコストを発生させる。
【０００３】
この理由から、外側へ移動するスライドルーフの後方ガイドレール部の輪郭線を、車両ルーフの側方の輪郭に合わせることは、事実上、諦められていた。その代わりとして、最新の、外側へ移動するスライドルーフでは、後方ガイドレール部が、車両の長手方向における軸と平行（つまり、平行グリッド）に設計されている。このことは、側方のルーフスパーのカバー部材が、車両の後方に向かうにつれて広くなることを意味する。しかしながら、これは、デザインを大きく害することになる。
【先行技術文献】
【特許文献】
【０００４】
【特許文献１】独国特許第１０１４３８２３号明細書（Ｃ２）
【発明の概要】
【発明が解決しようとする課題】
【０００５】
従って、本発明の目的は、背景技術において述べたようなタイプの車両ルーフにおいて、後方ガイドレール部の外形が、ルーフ側方の輪郭に対して僅かなスペースしか占めることがない、低コストで実現可能な、車両ルーフを製造することである。
【課題を解決するための手段】
【０００６】
本発明によれば、この目的は、請求項１の特徴を有する車両ルーフによって達成される。
【０００７】
すなわち、本発明の後方スライド装置は、各々、カバーリンクに沿って誘導される。車両の垂直方向に投影されたとき、各々の後方ガイドレール部の接線及びこれら後方ガイドレール部の各々に割り当てられたカバーリンクの接線は、少なくとも一部において、車両の長手方向に対して逆向きに配置されている。そのため、後方ガイドレール部と、これに割り当てられたカバーリンクとは、カバー部材が開き位置にあるとき、この投影下において交差する。
【０００８】
従って、車両ルーフの一方の側部に割り当てられ、ルーフに固定された後方ガイドレール部とこれに関連するガイドリンクとは、これら２つの部材が交差する点上に後方スライド装置が位置するように配置される。特に、カバー部材が開き位置にあるとき、後方ガイドレール部とこれに割り当てられたガイドリンクとは、それぞれに対して湾曲している。カバー部材が開かれたとき、これらの部材は、車両の垂直方向へ投影した場合において、互いにかすめるようにして移動し、そして、スライド装置は、車両の長手方向への移動に加え、車幅方向にも移動する。
【０００９】
この形態の車両ルーフによれば、すなわち、カバー部材が基本的に長方形のベースエリアを持たず（つまり、その縁は平行グリッド上に沿っていない）、カバー部材の側方の端部が側方ルーフスパーの輪郭に沿う、いわゆるレール・ツー・レールカバーを構成している場合には、後方ガイドレール部を、余分な全体的スペースを占めることなく後方スライド装置を誘導するために対応して配置されたカバーリンクを介して、側方のルーフの縁の形状に合わせることが可能になる。このことは、外側へ移動するスライドルーフカバーを備えた本発明の車両ルーフは、最も厳しい視覚基準の充足が可能であることを意味する。
【００１０】
本発明の車両ルーフの好ましい実施形態では、後方スライド装置の移動の速度は、前方スライド装置やカバー部材の移動の速度よりも小さい。後方スライド装置用のリンクトラックやガイドレールは、前方スライド装置が担う付加的な移動を受け取ることができる一種の移動均等化装置を形成している。また、この構造は、前方スライド装置用の前方ガイドレール部よりも後方スライド装置用の後方ガイドレール部を短く設定することを可能にし、全体的なスペースを抑制することができる。
【００１１】
本発明にかかる車両ルーフの好ましい実施形態は、様々な車種を設計するという観点から有利である。カバーリンク及び後方ガイドレール部は、車両の垂直方向に投影された場合には湾曲した軌道の外形を有する。これらの軌道の外形は、それぞれルーフ側方の輪郭に合わされることが好ましい。
【００１２】
また、カバーリンクと後方ガイドレール部とは、少なくとも車両の垂直方向へ投影された場合において、少なくとも概ね直交するような輪郭を有するようにしてもよい。この場合、後方ガイドレール部及びカバーリンクの各々に割り当てられた湾曲した軌道の外形は、半径に限りのない湾曲形状を有することになるので、これらの接線は湾曲した外形と一致する。従って、ここでの「接線」という用語は最も広い意味に解釈される。
【００１３】
本発明の車両ルーフの好適な実施形態において、前方スライド装置の各々は、第一ドライブレバーに連結され、後方スライド装置の各々は、第二ドライブレバーに連結されているのが好ましい。後方スライド装置の各々の第二ドライブレバーやチルトレバーは、後方ガイドレール部のスライド部材やカバーリンクのスライダーによって誘導されるのが好ましい。
【図面の簡単な説明】
【００１４】
【図１】カバー部材が傾けられた状態の、本発明にかかる車両ルーフの斜視図を示す図である。
【図２】カバー部材が後方へ移動した状態の、図１に対応する図である。
【図３】カバー部材が閉じ位置にあるときの、車両ルーフの上面図を示す概略図である。
【図４】カバー部材が開き位置にあるときの、図３に対応する図である。
【発明を実施するための形態】
【００１５】
本発明の課題に関する更なる利点及び有利な発展は、明細書、図面、及び請求項において説明される。
【００１６】
本発明にかかる車両ルーフの実施形態は、図面において、単純化された概略図の形で表され、以下の記述においてさらに詳細に説明される。
【００１７】
図１は、ルーフ開放機構を備えた車両ルーフ１０を示している。このルーフ開放機構はカバー部材１２を有し、カバー部材１２は、ルーフ開口部１４を閉じたり少なくとも部分的に開放したりするために用いられ、閉じ位置と開き位置との間で調節される。
【００１８】
カバー部材１２は、いわゆるレール・ツー・レールカバーを構成する。このカバー部材１２は、車幅方向の寸法が後端と前端とで異なっており、閉じ位置にあるとき、側方ルーフスパー２０Ａ及び２０Ｂに沿う形状をなす。カバー部材１２の前端における幅は、後端における幅よりも大きい。
【００１９】
閉じ位置から出発して、カバー部材１２は、図１に示す傾いた換気位置に回転させることができる。このとき、カバー部材１２の後端は、後方の固定ルーフ部１６に対して上向きに傾斜している。この換気位置から更に進むと、カバー部材１２は、図２に示すように、車両の長手方向における中心面に対して両サイドに配置されたガイド装置１８に誘導され、固定ルーフ部１６の上方を車両後方に向かって移動する。従って、カバー部材１２は、外側へ移動するスライドルーフを構成している。
【００２０】
特に図３及び図４において、移動方向の左手側に位置するルーフエリアを見た場合、ガイド装置１８は、各々、前方スライド装置２２を誘導する前方ガイドレール部２０を有する。この前方ガイドレール部２０は、車両の長手方向に延びている。さらに、ガイド装置１８は、各々、後方の固定ルーフ部１６に設けられた後方ガイドレール部２４を有する。この後方ガイドレール部２４に沿って、後方スライド装置２６が、スライド部材２７によって誘導される。後方チルトレバー又はドライブレバー２８は、スライド部材２７において回転する。ドライブレバー２８にはスライダー３０が形成されている。ドライブレバー２８は、ガイドリンク３２に誘導される。ドライブレバー２８は、カバー部材１２の下側に形成され、スライダー３０用のガイドレールを形成している。
【００２１】
前方スライド台を形成している前方スライド装置２２と、後方スライド台を形成している後方スライド装置２６とは、各々、ドライブケーブルに接続されている。スライド装置２２、２６のドライブケーブルは、前方スライド装置２２の移動比率が、後方スライド装置２６の移動比率よりも大きくなるように、共通のドライブ装置によって、異なった速度で動かされる。
【００２２】
後方ガイドレール部２４は、車両の垂直方向に投影されたとき、湾曲した軌道の外形を有しており、ルーフ側方の輪郭と平行に形成されている。この湾曲形状の外側は、車両の長手方向における中心面と面している。これによって、側方ルーフスパー２０Ａ、２０Ｂを、車両の長手方向の全長に亘って一定の幅に設計することが可能となる。後方ルーフスパー２０Ａ、２０Ｂは、固定された後方ルーフ部１６のエリア内において、各々の内側の縁が車両の長手方向における中心面と面しており、パーティングラインやルーフスリットを規定している後方ガイドレール部２４に沿って延びている。
【００２３】
カバー部材に固定されたガイドリンク３２は、各々、同じような湾曲した軌道の外形を有している。ガイドリンク３２は、実質的に、対応するカバー部材１２の側方の輪郭に沿っており、その湾曲形状の外側は車両の長手方向における中心面と同じように面している。
【００２４】
特に図４に見られるように、カバー部材１２に形成されたガイドリンク３２と、後方ガイドレール部２４とは、車両の垂直方向に投影されたとき、それらの接線が車両の長手方向における軸に対して逆向きになるような外形を有している。そのため、カバー部材１２が図４に示すような開き位置をとるとき、この投影下では、これらの接線は交差する。後方ガイドレール部２４とガイドリンク３２との投影された交点は、カバー部材１２の移動に伴い、車両の長手方向及び車幅方向にシフトする。この過程において、カバー部材１２が後方へ移動して開き位置をとるとき、スライド部材２７やチルトレバー２８、スライダー３０を備え、交点に位置するスライド装置２６は、車両の長手方向における中心面に対して車幅方向を外側へ、つまりは車両の外側へ向かって移動する。同時に、スライド又はチルト装置２６が、後方ガイドレール部２４を移動するとき、スライダー３０は、カバー部材１２のリンクトラック３２に沿って動く。
【００２５】
従って、スライド装置２６が車両の後方へ移動するときには、後方スライド台を形成しているスライド装置２６が、スライド部材２７やチルトレバー２８、スライダー３０と共に、常時、後方ガイドレール部２４とリンクトラック３２との交点に位置するように、ガイドやリンクトラック３２が設計される。リンクトラック３２をこのように設計することで、スライド装置２６は、ねじれたり、曲がったり、引っ掛かったりすることなく、車両の外方へ移動することができる。特に、スライド装置２６は、個別のドライブケーブルに接続されていて、リンクトラック３２とガイドレール部２４との投影された交点にあって、常に、前者を後方へずらしている。移動時にスライド装置２６にかかる力を吸収するため、スライド装置２６は、湾曲形状であっても弾性を有していてもよく、球状ヘッドベアリングを備えていてもよい。
【００２６】
本発明の実施形態におけるリンクトラック３２及びガイドレール部２４は、ルーフスリットの下側に位置している。カバー部材１２が開き位置にあるときには、チルトレバー２８は、ルーフスリットを刃物のように通過する。このことは、スライド装置２６とカバー部材１２とによる協働によってのみ、車幅方向における補正が達成可能であることを意味する。従って、カバー部材１２の裏側に設けられたリンクトラック３２を備えることと、リンクトラック３２及び後方ガイドレール部２４を、湾曲形状に設計するか、又は、これらが車両の長手方向における軸に対して反対に位置するように設計することだけが必要とされる。そうすれば、これらは、カバー部材１２や固定ルーフ部１６の側方の縁に沿うことになる。
【符号の説明】
【００２７】
１０  車両ルーフ
１２  カバー部材
１４  ルーフ開口部
１６  固定ルーフ部
１８  ガイド装置
２０  前方ガイドレール部
２２  前方スライド装置
２４  後方ガイドレール部
２６  後方スライド装置
２７  スライド部材
２８  後方チルトレバー
３０  スライダー
３２  ガイドリンク
【図１】
2011524295.tif 000003
【図２】
2011524295.tif 000004
【図３】
2011524295.tif 000005
【図４】
2011524295.tif 000006
【国際調査報告】
2011524295.tif 000007
2011524295.tif 000008
2011524295.tif 000009
2011524295.tif 000010